(57)【特許請求の範囲】
【請求項１】
成形品表面に布目模様をシルクスクリーン印刷により印刷したフィルムをインサート成形により接着させ、その上から塗料を塗布し、印刷と塗装により表面に布感触を具えた加飾層を形成したことを特徴とする布感触を付与した成形品。
【請求項２】
成形品表面に布目模様をシルクスクリーン印刷により印刷し、その上から塗料を塗布し、印刷と塗装により表面に布感触を具えた加飾層を形成したことを特徴とする布感触を付与した成形品。
【請求項３】
布目模様をシルクスクリーン印刷により厚盛り印刷したことを特徴とする請求項１または２記載の布感触を付与した成形品。
【請求項４】
成形品がコンパクトであることを特徴とする請求項１または２記載の布感触を付与した成形品。
【請求項５】
成形品がキャップであることを特徴とする請求項１または２記載の布感触を付与した成形品。
【請求項６】
成形品がボトルであることを特徴とする請求項１または２記載の布感触を付与した成形品。
【請求項７】
成形品がチューブ容器であることを特徴とする請求項１または２記載の布感触を付与した成形品。
【発明の詳細な説明】
【０００１】
【発明の属する技術分野】
本発明は、成形品の加飾、とくに表面を加飾したコンパクトその他の成形品に関する。
【０００２】
【従来の技術】
コンパクト、その他の成形品の加飾方法として、布地などの可撓性シートを成形品の表面にインサート成形により接着させることは従来より知られている（例えば実公平３−１９２９２号公報参照）。
【０００３】
【発明が解決しようとする課題】
しかしながら、成形品の加飾面が平面、円筒面、角筒面であれば布のインサート成形は簡単にできるが、例えば、円形コンパクトで、球帯状の湾曲面があったり、或いは角部を丸め付けした角形コンパクトで、角部が円弧状の湾曲面であると、金型の湾曲面において、インサートした布にしわが寄り、成形品の美観を損なうとともに、均一な感触が得られないという問題があった。
そのため、布を接着した美麗な加飾品を得ることは困難であった。
【０００４】
上記の問題は、同様な湾曲面を有するドーム状天面を有するキャップ、球帯状の壁面、縦・横方向断面が円弧状曲線となる湾曲面を有する成形品などの場合にも、避けることはできなかった。
【０００５】
本発明は、上記の問題点を解決することを課題として、布地を用いないで、シルクスクリーン印刷、またはシルクスクリーン印刷と塗装によって布感触の表面をもったコンパクト、その他の成形品を提供することを目的とする。
【０００６】
【課題を解決するための手段】
本発明は、上記の課題を解決するため、布感触を付与した成形品として、成形品表面に布目模様をシルクスクリーン印刷により印刷したフィルムをインサート成形により接着させ、その上から塗料を塗布し、印刷と塗装により表面に布感触を具えた加飾層を形成したことを特徴とする構成を採用する。
【０００７】
成形品の表面に印刷が可能である場合には、成形品表面に布目模様をシルクスクリーン印刷により印刷し、その上から塗料を塗布し、印刷と塗装により表面に布感触を具えた加飾層を形成したことを特徴とする構成を採用する。
【０００８】
印刷方法の実施例として、布目模様をシルクスクリーン印刷により厚盛り印刷したことを特徴とする構成を採用する。
【０００９】
成形品の実施例として、とくにコンパクト、キャップ等の湾曲面を有する成形品に好適であるが、ボトル、チューブ容器その他の成形品にも適用できる。
【００１０】
布目模様の実施態様として、各種の織り目、編み目、しぼ模様、なし地模様、が採用されるが、凹凸を並列した模様であって、布感触に近い感触、凹凸感触を付与するものも採用できる。
【００１１】
【発明の実施の形態】
次に、本発明の加飾方法をコンパクトに施した第１実施形態について、図面を参照して説明する。
図１において、Ａは本発明のコンパクト、１はコンパクトＡのケース本体、２はケース本体に蝶番を介して取着された蓋体である。
【００１２】
図２に示すように、蓋体２は、頂壁３と、該頂壁３より断面円弧形状に延びる側周壁４とを具えており、側周壁４の所定の位置には、蝶番の連結片５が垂設され、蝶番ピンによってケース本体１に連結されている。
図中、６は係止片、７は鏡である。
【００１３】
蓋体２の表面には、印刷と塗装によって、布感触が付与された加飾層１０が形成されている。
図３に示すように、加飾層１０は、布目模様をシルクスクリーン印刷により印刷したフィルム１１と塗料層１２とからなり、印刷インキ１３によって布目模様の凹凸が形成されている。
【００１４】
次に、加飾方法について説明する。
フィルム１１として、軟材質の合成樹脂が用いられ、布目模様がシルクスクリーン印刷により厚盛り印刷される。
布目模様を印刷したフィルム１１は、印刷面を金型面側として金型面に吸引貼着される。
次いで、金型内に樹脂が射出され、フィルム１１のインサート成形が行われる。  フィルム１１の貼着にあたっては、湾曲面があってもフィルム１１が吸引により変形され、型面通りに成形貼着されるので、しわが発生することはない。
【００１５】
成形後に蓋体２の表面全体を塗料でコーティングする。
塗料として、粗い粒子を混入した、ソフト感のある塗料が用いられる。
その際、塗料の粗い粒子が厚盛りの印刷インキ１３に引っかかることによって、シルクスクリーン印刷によるインキの凹凸感が一層強調され、布感触を増すことができる。
【００１６】
実施形態では、二液型ウレタンコーティング材「ベルベックス」（藤倉化成ＫＫ社製、商品名）が用いられているが、これに限定されない。
かくして、表面に布感触を具えた蓋体が得られるが、成形された蓋体の外観と感触は、表面に布を接着したものと変わらない。
【００１７】
次に、キャップに係る第２実施形態について説明する。
図４において、Ｂはキャップ、２０はキャップＢの頂壁、２１は側周壁である。
頂壁２０は、ドーム状の湾曲壁となっており、側周壁２１は円筒状であって、その内周にはねじが螺設されている。
キャップの頂壁２０の表面、および側周壁２１の表面には、前実施形態と同様の布感触を有する加飾層１０ａが形成されている。
【００１８】
加飾にあたって、布目模様をシルクスクリーン印刷により印刷した円形のフィルム１１ａを金型の頂壁部分に、円筒形としたフィルム１１ｂを金型の側周壁部分に吸引貼り付け、樹脂を射出してインサート成形し、次いで、成形品の表面全体に塗料をコーティングすることによって布感触のあるキャップＢを得ることができる。
キャップの場合、外観と感触が布と同一となるというだけでなく、キャップの開閉にあたって、手指が滑らない等格別の作用効果を得ることができる。
【００１９】
次に、ボトルに係る第３実施形態について説明する。
本実施形態は、ボトルの胴部表面に布目模様を直接シルクスクリーン印刷し、その上に塗装を施したものである。
図５において、Ｃはボトル、３０は口部、３１は横断面が円形、または楕円形の胴部であって、３２は底部である。
【００２０】
胴部３１の表面には、布感触の加飾層４０が形成されている。
加飾層４０は、図５（ｂ）に示すように、厚盛りのインキ４１の印刷層と、塗料層４２とからなり、インキ４１によって布目模様の凸部が形成されている。
【００２１】
加飾にあたっては、胴部３１表面に布目模様がシルクスクリーン印刷により印刷され、その上から塗装を施すことによって形成される。
かくして、前記各実施形態と同等の布感触を具えたボトル胴部を得ることができる。
【００２２】
次に、チューブ容器に係る第４実施形態について説明する。
本実施形態は、チューブ容器胴部に布感触の加飾を施したものである。
図６において、Ｄはチューブ容器であり、５０はチューブ容器Ｄの口部、５１は底端をシールした胴部である。
胴部５１の表面には、前実施形態と同様の布感触の加飾層４０ａが形成されている。
【００２３】
加飾にあたっては、胴部５１を形成するチューブ表面に布目模様をシルクスクリーン印刷により印刷され、その上から塗装を施すことによって形成される。
かくして、前記実施形態と同等の布感触を具えたチューブ容器を得ることができる。
【００２４】
前記第３，４実施形態では、ボトルＣの胴部３１、チューブ容器Ｄの胴部５１の表面に布目模様をシルクスクリーン印刷により直接印刷し、塗装を施したが、第１，２実施形態と同様に、布目模様を印刷したフイルムをインサート成形して、フイルムの上に塗装を施してもよい。
【００２５】
次に、加飾方法に係る別実施形態について説明する。
前記第３，４各実施形態では、シルクスクリーン印刷の上に塗装を施したが、塗装を省略することができる。
成形品の表面に布目模様をシルクスクリーン印刷すると、厚盛り印刷による凸部が形成されるので、印刷面に布感触を付与することができる。
また、メッシュの粗いスクリーンを用いてべた印刷し、スクリーンの模様を転写するようにしてもよい。
【００２６】
前記各実施形態では、特定の成形品について説明したが、その他のプラスチック容器、或いはガラス製、金属製の成形品であってもよく、また、成形品の形状も表面に印刷が容易にできる成形品であれば、箱型の容器、その他であってもよい。
その場合にも、成形品の表面に直接印刷しても、布目模様を印刷したフイルムを接着するようにしてもよい。
【００２７】
また、前記各実施形態では、シルクスクリーン印刷の上に塗装を施したが、厚盛り印刷による印刷だけでも布感触を付与することができる。
また、前記のメッシュの粗いスクリーンを用いたべた印刷でもよい。
【００２８】
布目模様については、各種の織り目、編み目が用いられるが、しぼ模様、なし地模様であってもよい。
また、直線状の凹凸、或いは曲線状の凹凸を並列した模様であって、布感触に近い感触、または凹凸感触を付与するものであってもよい。
【００２９】
【発明の効果】
本発明は、上記のように構成されているから、次の効果を奏する。
布目模様をシルクスクリーン印刷により厚盛り印刷しているので、布目模様が浮き上がり、その上に粗い粒子を混入したソフト感のある塗料で塗装しているので、インキの凹凸感が一層強調され、布感触を増すことができ、成形品に布を接着した場合と同等の布感触を付与することができた。
【００３０】
また、シルクスクリーン印刷による厚盛り印刷のみによっても、一定の布感触を得ることができる。
【図面の簡単な説明】
【図１】コンパクトの斜視図である。
【図２】コンパクトの蓋体の縦断側面図である。
【図３】加飾層の説明図である。
【図４】キャップの断面図である。
【図５】  ボトルを示す図で、（ａ）はボトルの正面図、（ｂ）は加飾の説明図である。
【図６】  チューブ容器の説明図である。
【符号の説明】
Ａ        コンパクト
Ｂ        キャップ
Ｃ        ボトル
Ｄ        チューブ容器
１        ケース本体
２        蓋体
１０、１０ａ          加飾層
１１、１１ａ、１１ｂ  フィルム
１２      塗料層
１３      印刷インキ
２０      頂壁
２１      側周壁
３０      口部
３１      胴部
３２      底部
４０、４０ａ      加飾層
４１      インキ
４２      塗料層
５０      口部
５１      胴部
【図１】
0004187943.tif 000002
【図２】
0004187943.tif 000003
【図３】
0004187943.tif 000004
【図４】
0004187943.tif 000005
【図５】
0004187943.tif 000006
【図６】
0004187943.tif 000007